(57)【要約】【課題】集塵室及びホルダーの掃除を容易に行なうことができると共に、ホルダーや集塵袋のがたつきを簡単な構成で抑制することができる電気掃除機を提供すること。 【解決手段】掃除機本体１１に形成され且つ吸込口３２を有する集塵室３０と、この集塵室３０に収容される紙パックフィルタ（集塵袋）５０の口枠部５２を案内するホルダー４０とを備えた電気掃除機１０であって、ホルダー４０は、集塵室３０内に着脱自在に配置され、且つ、上部が吸込口３２から離間する方向に傾動可能に支持され、掃除機本体１１には、ホルダー４０を保持するクランプ部材（ホルダー保持手段）３７と、口枠部５２を固定するクランプ部材（口枠部固定手段）３７とを設けた。 【選択図】図１０
2007097632.tif 000002
【特許請求の範囲】
【請求項１】
掃除機本体に形成され且つ吸込口を有する集塵室と、該集塵室に収容される集塵袋の口枠部を案内するホルダーとを備えた電気掃除機であって、
前記ホルダーは、前記集塵室内に着脱自在に配置され、且つ、上部が前記吸込口から離間する方向に傾動可能に支持され、
前記掃除機本体には、前記ホルダーを保持するホルダー保持手段と、前記口枠部を固定する口枠部固定手段とが設けられたことを特徴とする電気掃除機。
【請求項２】
前記ホルダー保持手段及び前記口枠部固定手段は、一体に形成されていることを特徴とする請求項１に記載の電気掃除機。
【発明の詳細な説明】
【技術分野】
【０００１】
本発明は、集塵室内に集塵袋を取り付けて使用する電気掃除機であって、集塵袋の口枠部を案内するホルダーを備えた電気掃除機に関するものである。
【背景技術】
【０００２】
従来から、電気掃除機の掃除機本体に形成された集塵室内に、ホルダーを介して集塵袋を取り付ける電気掃除機が知られている（例えば、特許文献１参照）。
【０００３】
この電気掃除機では、集塵室内にホルダーの下端部が回動自在に取り付けられており、集塵袋をホルダーに装着した際に、このホルダーが回動するようになっている。そして、ホルダーの下端部に設けられた付勢体によって、集塵袋の口枠が集塵室に形成された吸込口のタイトパッキンに押し付けられるようになっている。
【０００４】
また、あらかじめホルダーに集塵袋を装着し、この集塵袋が装着されたホルダーを集塵室に形成されたフィルタ取付溝に挿入することにより、集塵袋を集塵室内に取り付ける電気掃除機も知られている（例えば、特許文献２参照）。
【特許文献１】特許第３２０３２１４号公報
【特許文献２】特開昭６２−２１７９３１号公報
【発明の開示】
【発明が解決しようとする課題】
【０００５】
ところで、上述のホルダーの下端部が回動自在に取り付けられた電気掃除機では、ホルダーの下端部が集塵室に固定されているために、ホルダーに付着した汚れを掃除しにくいという問題が生じていた。
【０００６】
特に、ホルダーの下端部と集塵室との間に入り込んだ塵埃を除去することが非常に困難であり、集塵室内に塵埃がたまりやすくなっていた。
【０００７】
また、あらかじめ集塵袋を装着したホルダーを集塵室内に取り付ける電気掃除機では、このホルダーの固定を、集塵室の開口を開閉する蓋体によって行なっていた。
【０００８】
つまり、蓋体を閉じることによって、この蓋体に設けられたリブがホルダーを押圧し、上方への移動が阻止されるようになっている。
【０００９】
そのため、ホルダーに装着された集塵袋が集塵室に対して固定されず、掃除中に生じる振動によってがたつく恐れがあった。
【００１０】
また、ホルダーを蓋体によって固定するので、蓋体の寸法管理を厳しくしなければならないという問題も生じていた。すなわち、蓋体が閉じたときに、この蓋体によって確実にホルダーを押圧すると共に、蓋体が開かないようにロック（固定）しなければならなかった。
【００１１】
そこで、この発明は、集塵室及びホルダーの掃除を容易に行なうことができると共に、ホルダーや集塵袋のがたつきを簡単な構成で抑制することができる電気掃除機を提供することを課題としている。
【課題を解決するための手段】
【００１２】
上記課題を解決するために、この発明は、掃除機本体に形成され且つ吸込口を有する集塵室と、該集塵室に収容される集塵袋の口枠部を案内するホルダーとを備えた電気掃除機であって、前記ホルダーは、前記集塵室内に着脱自在に配置され、且つ、上部が前記吸込口から離間する方向に傾動可能に支持され、前記掃除機本体には、前記ホルダーを保持するホルダー保持手段と、前記口枠部を固定する口枠部固定手段とが設けられたことを特徴としている。
【発明の効果】
【００１３】
本発明の電気掃除機によれば、集塵室内部やホルダーが汚れたときには、ホルダーを集塵室から取り外してから、集塵室内部やホルダーの掃除を行なうことができる。これにより、集塵室やホルダーの掃除を容易に行なうことができる。
【００１４】
また、ホルダーを吸込口から離間する方向に傾動させた状態で、集塵袋の口枠部を装着すれば、この口枠部がホルダーによって案内され、容易に装着することができる。
【００１５】
さらに、掃除機本体に設けられたホルダー保持手段によって、ホルダーを掃除機本体に対して確実に保持すると共に、掃除機本体に設けられた口枠部固定手段によって、集塵袋の口枠部を掃除機本体に対して確実に固定することができる。
【発明を実施するための最良の形態】
【００１６】
以下、この発明に係る電気掃除機の実施例を図面に基づいて説明する。
【００１７】
図１に示す電気掃除機１０は、掃除機本体１１と、この掃除機本体１１の接続口１１Ａに一端が着脱自在に接続された集塵ホース１２と、この集塵ホース１２の他端に設けられた手元操作管１３と、手元操作管１３に着脱自在に接続された延長管１４と、延長管１４の先端部に着脱自在に接続された吸込口体１５とを備えている。
【００１８】
手元操作管１３には、操作部１３Ａが設けられており、この操作部１３Ａには後述する電動送風機２２をＯＮ／ＯＦＦ操作する操作スイッチ１３ａ等が設けられている。
【００１９】
吸込口体１５には、底面に塵埃を吸引する図示しない吸込開口（塵埃吸込口）を有する吸込室（図示せず）が形成されており、この吸込室は延長管１４、集塵ホース１２、接続口１１Ａを順に介して掃除機本体１１内に連通している。
【００２０】
掃除機本体１１は、本体ケース２０と、後部が本体ケース２０にヒンジ結合されて前部側が上下方向に開閉可能となっている蓋体２１とを備えている。
【００２１】
本体ケース２０は、図２に示すように、後側に電動送風機２２が内蔵された送風機室２３が形成され、前側に集塵袋としての紙パックフィルタ５０（図１０参照）が着脱自在に収容される集塵室３０が形成されている。
【００２２】
送風機室２３は、区画壁２３Ａによって集塵室３０と区画されており、この区画壁２３Ａには、連通開口２３Ｂが形成されている。そして、この連通開口２３Ｂを介して送風機室２３と集塵室３０とが連通している。
【００２３】
さらに、この連通開口２３Ｂには、送風機室２３の内部に配置された電動送風機２２の吸込開口２２Ａがほぼ対向しており、電動送風機２２によって生じた負圧が、この連通開口２３Ｂを介して集塵室３０内に作用するようになっている。
【００２４】
集塵室３０は、図３及び図４に示すように、上方に開口した上部開口３１を有し、この上部開口３１が蓋体２１によって開閉自在に密閉されるようになっている。なお、この上部開口３１の周縁には、パッキンＰが装着されている。
【００２５】
また、この集塵室３０内には、後述するホルダー４０が着脱自在に装着され、このホルダー４０を介して紙パックフィルタ５０が取り付けられるようになっている。
【００２６】
そして、区画壁２３Ａに対向する集塵室３０の前側壁３０ａには、接続口１１Ａに連通する吸込口３２が形成されている。この吸込口３２は、円形の開口であり、周縁部に環状パッキンＰ２が取り付けられている（図２参照）。
【００２７】
また、吸込口３２の下方には、図３及び図４に示すように、ホルダー４０を支持する一対の支持リブ３３，３３が、前側壁３０ａから後方に向かって延在されている。これらの支持リブ３３，３３は、集塵室３０の底壁３０ｂに沿って延びている。
【００２８】
これらの一対の支持リブ３３，３３は、互いにほぼ平行に並設されており、それぞれの前側壁３０ａから連続した前端部には、切欠部３４，３４が形成されている。
【００２９】
さらに、これらの一対の支持リブ３３，３３間には、支持リブ３３，３３とほぼ直交する方向に沿って延びる連結リブ３３ａが設けられ、この連結リブ３３ａによって一対の支持リブ３３，３３が連結されている。なお、この連結リブ３３ａは、切欠部３４，３４よりも後方に位置している。
【００３０】
そして、吸込口３２の両側部には、一対の案内リブ３５，３５が、前側壁３０ａから後方に向かって突出形成されている。なお、この案内リブ３５，３５は、吸込口３２の両側部から集塵室３０の底壁３０ｂに至るまで、上下方向に沿って長くなるように形成されている。
【００３１】
また、集塵室３０の両側壁３０ｃ、３０ｄには、規制突起３６，３６がそれぞれ形成されている。
【００３２】
この規制突起３６，３６は、支持リブ３３，３３に形成された切欠部３４，３４よりも後方に位置し（図２参照）、集塵室３０の内部に向かって突出している。そして、各規制突起３６，３６は、集塵室３０の底壁３０ｂに至るまで、上下方向に延在されている。
【００３３】
さらに、吸込口３２の上方には、ホルダー保持手段及び口枠部固定手段を兼用するクランプ部材３７が設けられている。
【００３４】
このクランプ部材３７は、両側面の下端部に形成された軸部３７Ｊ（他方図示せず）（図９（ａ）、（ｂ）参照）が、上部開口３１の前端部に形成された一対の軸受部３８に前後方向に回動可能に保持されている。
【００３５】
そして、このクランプ部材３７は、図９（ａ）、（ｂ）に示すように、上方に突出したつまみ部３７ａと、つまみ部３７ａから集塵室３０側に突出した爪部３７ｂとを有している。
【００３６】
爪部３７ｂは、先端部が下方に突出した鉤形状を呈しており、ここでは図９（ａ）に示すように、三股に分かれている。また、各爪部３７ｂは、裏側にえぐれた嵌合部３７ｄが形成されている（図９（ｂ）参照）。この嵌合部３７ｄに紙パックフィルタ５０の後述する口枠部５２が嵌合することとなる。
【００３７】
なお、クランプ部材３７は、軸受部３８間に配置されたバネ部材Ｂにより、後方に向かって傾くように付勢されている。このバネ部材Ｂには、クランプ部材３７の底面に形成されたバネ保持突起３７ｃ（図９（ａ）参照）が挿入され、ずれないようになっている。
【００３８】
ホルダー４０は、図５及び図６−１に示すように、板状のホルダー本体４１と、このホルダー本体４１の両側部に設けられた一対の支持アーム４２，４２とを有しており、ホルダー本体４１のほぼ中央に貫通孔４１ａが形成されている。
【００３９】
この貫通孔４１ａは、ホルダー４０が集塵室３０内に装着された際に、吸込口３２に対向するようになっている。
【００４０】
そして、ホルダー本体４１の下端部には、図６−２に示すように、一対の凹部４３，４３が形成され、この凹部４３，４３間には、下方及び裏面側に突出する支持段部４３ａが形成されている。
【００４１】
なお、ここで「裏面側」とは、ホルダー４０を集塵室３０内に装着した際に、後方に面する側のことである。
【００４２】
凹部４３，４３は、切欠部３４，３４に係合可能な間隔で形成され、支持段部４３ａは、前側壁３０ａと連結リブ３３ａとの間に挿入可能な大きさに形成されている。
【００４３】
また、ホルダー本体４１の上端部には、図６−１に示すように、一対の係止爪４４，４４が形成されている。これらの係止爪４４，４４は、ホルダー本体４１の表面側に突出しており、先端部が上方に突出した鉤形状を呈している。
【００４４】
なお、ここで「表面側」とは、ホルダー４０を集塵室３０内に装着した際に、前方側に面する側である。
【００４５】
支持アーム４２，４２は、ホルダー本体４１の裏面側に突出する厚みを有しており、ホルダー本体４１の裏面側との間に紙パックフィルタ５０を支持する支持壁４２ａ，４２ａがそれぞれ形成されている。
【００４６】
これらの支持壁４２ａ，４２ａは、互いに近接する方向に支持アーム４２，４２から突出形成されている。
【００４７】
なお、支持壁４２ａ，４２ａは、後述する紙パックフィルタ５０の口枠部５２を挿入可能な間隔で形成されている。
【００４８】
また、支持アーム４２，４２と、ホルダー本体４１との間には、案内スリット４５，４５が形成されている。この案内スリット４５，４５は、ホルダー４０を集塵室３０内に装着した際に、案内リブ３５，３５が挿入されて係合するようになっている。
【００４９】
さらに、支持アーム４２，４２のそれぞれの下部には、ホルダー本体４１の表面側に突出したトーションバネ４６，４６が設けられている。
【００５０】
これらのトーションバネ４６，４６によって、ホルダー４０を集塵室３０内に装着した際に、ホルダー４０が吸込口３２から離れる方向、つまり後方に向かって付勢されるようになっている。
【００５１】
ここで、トーションバネ４６，４６が、支持アーム４２，４２の下部に設けられているので、ホルダー４０を集塵室３０内に装着すると、このトーションバネ４６，４６が前側壁３０ａに当接し、ホルダー４０の上部が後方に向かい、下部が前方に向うように傾斜する。
【００５２】
紙パックフィルタ５０は、図１０及び図１１に示すように、塵埃を捕集する袋部５１と、この袋部５１の取入口５１ａ周縁に取り付けられた口枠部５２とを有している。
【００５３】
袋部５１は、袋状に形成された紙フィルタによって構成され、あらかじめ所定の形状に折り畳まれている。
【００５４】
口枠部５２は、矩形の厚紙等によって形成されており、ほぼ中央に取入口５１ａに対向した取入開口５２ａを有している。
【００５５】
次に、この発明の電気掃除機１０の作用について説明する。
【００５６】
この電気掃除機１０を使用するには、まず、蓋体２１を開け、ホルダー４０を掃除機本体１１に形成された集塵室３０内に装着する。
【００５７】
これは、ホルダー４０のホルダー本体４１を、凹部４３，４３が形成された下端部からこの集塵室３０内に挿入することで行なわれる。
【００５８】
このとき、あらかじめクランプ部材３７のつまみ部３７ａを前方（図２において左側方向）に向かって押圧し、バネ部材Ｂの付勢力に抗してクランプ部材３７を起立させておく。
【００５９】
クランプ部材３７を起立させることで、このクランプ部材３７が邪魔にならず、ホルダー４０をスムーズに挿入することができる。
【００６０】
そして、前側壁３０ａから突出する案内リブ３５，３５を、ホルダー本体４１と支持アーム４２，４２との間に形成された案内スリット４５，４５に嵌合させながら、ホルダー４０を前側壁３０ａに沿って挿入する。
【００６１】
これにより、ホルダー４０の位置決めを容易且つ確実に行うことが可能となり、簡単に装着することができる。
【００６２】
そして、集塵室３０内に装着されたホルダー４０は、凹部４３，４３が集塵室３０の底壁３０ｂに形成された支持リブ３３，３３の切欠部３４，３４に係合すると共に、支持段部４３ａが一対の支持リブ３３，３３間に挿入される（図８参照）。
【００６３】
また、ホルダー４０の支持アーム４２，４２には、ホルダー本体４１の表面側に突出したトーションバネ４６，４６が設けられているので、このトーションバネ４６，４６が前側壁３０ａに接触し、ホルダー４０が吸込口３２から離れる方向、つまり後方（図７において右方向）に向かって付勢される。
【００６４】
ここで、トーションバネ４６，４６が、支持アーム４２，４２の下部に設けられているので、トーションバネ４６が前側壁３０ａに当接し、ホルダー４０の上部が後方に向かい、下部が前方に向うように傾斜する。
【００６５】
一方、集塵室３０の両側壁３０ｃ、３０ｄには、切欠部３４，３４よりも後方に位置する規制突起３６，３６が設けられている。そのため、後方に向かってホルダー４０が傾斜すると、ホルダー４０の支持アーム４２，４２がこの規制突起３６，３６に接触し、傾斜が規制される。
【００６６】
つまり、この規制突起３６，３６によって、ホルダー４０の後方への倒れを抑えることができる。
【００６７】
最後に、クランプ部材３７の押圧を解除する。これにより、クランプ部材３７はバネ部材Ｂの付勢力によって後方（図７において右側方向）に傾動する。
【００６８】
クランプ部材３７が傾動すると、爪部３７ｂの先端部と、ホルダー４０の係止爪４４，４４とが噛み合った状態で対向する。
【００６９】
そのため、このクランプ部材３７によってホルダー４０の上方への移動が規制され、ホルダー４０の抜け止めを行なうことができる。
【００７０】
なお、ここでは、爪部３７ｂの先端部が下方に向かって突出した鉤形状を呈しており、係止爪４４，４４の先端部が上方に向かって突出した鉤形状を呈しているので、ホルダー４０を上方に移動させようとしても、クランプ部材３７に確実に引っかかる。これにより、ホルダー４０の抜け止めを確実に行なうことが可能となる。
【００７１】
次に、集塵室３０内に装着されたホルダー４０に、紙パックフィルタ５０を取り付ける。
【００７２】
これは、紙パックフィルタ５０の口枠部５２を、ホルダー４０のホルダー本体４１と支持壁４２ａ，４２ａとの間に差込挿入することで行なう。なお、このとき、クランプ部材３７は、ホルダー４０の係止爪４４，４４と対向する位置にあるので、紙パックフィルタ５０の挿入の邪魔にならない（図７参照）。
【００７３】
また、ホルダー４０は、上部が吸込口３２から離れる方向（後方）に傾斜しているので、口枠部５２を後方から挿入しやすく、容易に紙パックフィルタ５０を取り付けることができると共に、確実に取り付けることが可能となる。
【００７４】
そして、ホルダー４０に挿入された口枠部５２は、支持リブ３３，３３の切欠部３４，３４に当接して支持されると共に、支持壁４２ａ，４２ａによってホルダー本体４１と一体になるように保持される（図１０参照）。
【００７５】
なお、ホルダー本体４１と連結リブ３３ａとの間には、支持段部４３ａによって間隙が確保されるので、口枠部５２を容易に挿入することができる。
【００７６】
続いて、口枠部５２の上部を、ホルダー４０と共にトーションバネ４６，４６の付勢力に抗して吸込口３２に近づく方向、つまり前方に向かって押圧する。
【００７７】
このとき、クランプ部材３７は、鉤形状に形成された爪部３７ｂの先端が、前方に移動する口枠部５２によってバネ部材Ｂの付勢力に抗して次第に前方に傾動させられる。そして、クランプ部材３７がほぼ起立した状態になると、爪部３７ｂに形成された嵌合部３７ｄに口枠部５２がはまり込んで嵌合する。
【００７８】
このとき、クランプ部材３７は、バネ部材Ｂによって後方に傾動するように付勢されているので、このバネ部材Ｂの付勢力によって、口枠部５２が押さえつけられる。
【００７９】
つまり、口枠部５２は、掃除機本体１１に形成された集塵室３０内の支持リブ３３，３３に対して固定されることとなる。
【００８０】
これにより、口枠部５２の取入開口５２ａがホルダー４０の貫通孔４１ａを介して吸込口３２に対向した状態で固定される。そのため、空気の漏れ等が生じず、吸い込んだ塵埃を確実に捕集することができる。
【００８１】
また、この口枠部５２がクランプ部材３７によって押さえつけられると、この口枠部５２によって、集塵室３０の前側壁３０ａにホルダー本体４１が押し付けられて、集塵室３０に対してホルダー４０が固定する。
【００８２】
このように、ホルダー４０及び紙パックフィルタ５０が、それぞれ掃除機本体１１に対して固定されるので、掃除中に生じた振動によって、ホルダー４０及び紙パックフィルタ５０及びががたつくことを抑止することができる。
【００８３】
さらに、ここではクランプ部材３７によって、ホルダー４０の抜け止めと、口枠部５２の固定とを行なっており、ホルダー保持手段と口枠部固定手段とが一体に形成されたこととなる。
【００８４】
これにより、部品点数を少なくすることができると共に、構成を簡単にして組立効率の向上を図ることができる。
【００８５】
このように、図１１及び図１２に示すように、集塵室３０内にホルダー４０を介して紙パックフィルタ５０が取り付けられたら、蓋体２１を閉める。
【００８６】
そして、手元操作管１３の操作部１３Ａの操作スイッチ１３ａをＯＮ操作すると、電動送風機２２が駆動し、この電動送風機２２の吸込開口２２Ａから空気が吸い込まれ、連通開口２３Ｂを介して集塵室３０内に吸込負圧が作用する。
【００８７】
この吸込負圧は、紙パックフィルタ５０を介して集塵ホース１２、延長管１４及び吸込口体１５に順に作用する。これにより、吸込口体１５の吸込開口（図示せず）から空気と共に塵埃が吸引されていく。
【００８８】
この吸引された塵埃及び空気は、延長管１４、集塵ホース１２を順に介して集塵室３０の吸込口３２へ吸引されて、塵埃が紙パックフィルタ５０の袋部５１内に捕集される。
【００８９】
そして、紙パックフィルタ５０を交換する場合には、まず、蓋体２１をあける。次に、クランプ部材３７のつまみ部３７ａを前方に向かって押圧し、前方に傾動させる。そして、クランプ部材３７の爪部３７ｂの嵌合部３７ｄから口枠部５２を外す。
【００９０】
このとき、クランプ部材３７はホルダー４０とも係合していないので、ホルダー４０は、トーションバネ４６，４６の付勢力によって後方に向かって傾動する。
【００９１】
後方に傾動したホルダー４０は、規制突起３６に当接して傾動が規制され、上部が後方に傾動した状態で保持される。
【００９２】
続いて、クランプ部材３７への押圧を解除すると、バネ部材Ｂの付勢力でクランプ部材３７が後方に傾動し、ホルダー４０の係止爪４４，４４とクランプ部材３７の爪部３７ｂとが対向する（図１０参照）。
【００９３】
これにより、ホルダー４０の上部が後方に傾動した状態で、上方への移動が規制される。
【００９４】
そして、ホルダー４０に挿入されている紙パックフィルタ５０の口枠部５２を上方に引き上げる。
【００９５】
このとき、ホルダー４０の上部が後方に傾動しているので、口枠部５２を後方に向かって引き上げることができ、容易に取り出すことが可能となる。
【００９６】
さらに、口枠部５２を挿入したり、引き出したりするときには、ホルダー４０の上部が吸込口３２から離れる方向である後方に傾いた状態で動かない。そのため、口枠部５２の着脱をさらに容易に行なうことが可能となっている。
【００９７】
一方、ホルダー４０や集塵室３０の内部が汚れたときには、まず、クランプ部材３７のつまみ部３７ａを前方に向かって押圧し、クランプ部材３７をバネ部材Ｂの付勢力に抗して起立させる。これにより、クランプ部材３７が係止爪４４，４４から外れ、ホルダー本体４１を上方に引き上げることができる。そして、集塵室３０からホルダー４０を取り外す。
【００９８】
集塵室３０から取り外したホルダー４０は、ホルダー４０単体で洗浄等することができ、容易に掃除を行なうことができる。
【００９９】
また、集塵室３０も、ホルダー４０を取り外すことにより、吸込口３２や支持リブ３３，３３等が露出し、容易に掃除を行なうことができる。
【図面の簡単な説明】
【０１００】
【図１】この発明に係る電機掃除機の外観を示した斜視図である。
【図２】図１に示す掃除機本体を示した要部破断側断面図である。
【図３】蓋体を取り外した状態の掃除機本体の集塵室を示した斜視図である。
【図４】図３に示す集塵室を後方から見たときの斜視図である。
【図５】ホルダーの表面側を示す斜視図である。
【図６−１】ホルダーの裏面側を示す斜視図である。
【図６−２】図６−１に示すホルダーの裏面側を示す正面図である。
【図７】集塵室内にホルダーを装着した際の掃除機本体の要部を示す側断面図である。
【図８】図７に示す状態の集塵室を後方から見たときの斜視図である。
【図９】（ａ）はクランプ部材を示す斜視図であり、（ｂ）はクランプ部材を示す側面図である。
【図１０】集塵室内のホルダーに紙パックフィルタを装着した際の掃除機本体の要部を示す側断面図である。
【図１１】紙パックフィルタをクランプ部材で固定した際の掃除機本体の要部を示す側断面図である。
【図１２】図１１に示す状態の集塵室を後方から見たときの斜視図である。
【符号の説明】
【０１０１】
１０          電気掃除機
１１          掃除機本体
３０          集塵室
３２          吸込口
３７          クランプ部材（ホルダー保持手段、口枠部固定手段）
４０          ホルダー
５０          紙パックフィルタ（集塵袋）
５２          口枠部
【図１】
2007097632.tif 000003
【図２】
2007097632.tif 000004
【図３】
2007097632.tif 000005
【図４】
2007097632.tif 000006
【図５】
2007097632.tif 000007
【図６−１】
2007097632.tif 000008
【図６−２】
2007097632.tif 000009
【図７】
2007097632.tif 000010
【図８】
2007097632.tif 000011
【図９】
2007097632.tif 000012
【図１０】
2007097632.tif 000013
【図１１】
2007097632.tif 000014
【図１２】
2007097632.tif 000015